(57)【要約】【課題】楽器本体などに形成する支持具貫通用の開口部を小さくでき、楽器の外観を良好にできる譜面板支持構造の提供。【解決手段】回動支点４１を中心に回動可能な譜面板４０と、一端６０ａの譜面板側連結部６１が譜面板４０に対して回動可能に連結され、他端６０ｂの本体側連結部６２が本体部１０のガイド部材５０の案内路５１に対して移動可能に連結された支持棒６０と、支持棒６０を貫通させる開口部３３を有し、譜面板４０とガイド部材５０との間に配置される響板３０とを備えた譜面板支持構造において、譜面板４０が倒伏状態のとき、回動支点４１を基準として支持棒６０の本体側連結部６２が譜面板側連結部６１よりも後方かつ下方に配置され、かつ、ガイド部５０に設けられた本体側連結部６２を停止させる倒伏時停止部５５が、開口部３３の後端よりも後側に位置するようにして、開口部３３の奥行寸法が小さくなるようにした。【選択図】図２
2010145934.tif 000002
【特許請求の範囲】
【請求項１】
楽器本体に対して支点を中心に回動することで、立設姿勢と倒伏姿勢との間で傾斜角度を変更可能な譜面板と、
一端に設けた譜面板側連結部が前記譜面板に対して回動可能に連結され、他端に設けた本体側連結部が前記楽器本体に対して移動可能に連結されており、該本体側連結部の移動により、前記譜面板の傾斜角度を切り換えて支持可能な長尺状の支持具と、
前記楽器本体に設けられ、前記支持具の前記本体側連結部を移動可能に係合させるガイド部と、前記ガイド部に設けた前記本体側連結部の移動を案内する案内路と、前記譜面板を立設姿勢で支持する際に前記案内路の途中で前記本体側連結部を係止するためのストッパー部と、
前記支持具を貫通させる開口部を有し、前記譜面板と前記ガイド部との間に配置される中間部材と、
を備える楽器の譜面板支持構造であって、
前記譜面板が倒伏状態のとき、前記支点を基準として前記支持具の前記本体側連結部が前記譜面板側連結部よりも後方かつ下方に配置され、かつ、前記ガイド部に設けられた前記本体側連結部を停止させる倒伏時停止部は、前記開口部の後端よりも後側に位置するように構成した
ことを特徴とする楽器の譜面板支持構造。
【請求項２】
前記ガイド部の前記案内路は、前記譜面板を前記倒伏姿勢から前記立設姿勢に移行させる際、前記支持具の前記本体側連結部を前記支点に近い前側かつ前記開口部に近い上側に向かって移動させるように形成されている
ことを特徴とする請求項１に記載の楽器の譜面板支持構造。
【請求項３】
前記ガイド部の前記ストッパー部は、前記倒伏時停止部よりも前記支点に近い前側かつ前記開口部に近い上側の位置に設けられている
ことを特徴とする請求項１又は２に記載の楽器の譜面板支持構造。
【請求項４】
前記ストッパー部は、前記譜面板を異なる複数の立設角度で支持可能となるように複数箇所に設けられており、該複数箇所のストッパー部は、対応する前記譜面板の立設角度が大きい程、前記支点に近い前側かつ前記開口部に近い上側に位置するように配されている
ことを特徴とする請求項３に記載の楽器の譜面板支持構造。
【請求項５】
前記案内路は、前記本体側連結部に設けた突起状の係合部を案内する壁面を有しており、
前記案内路における前記ストッパー部に対向する壁面には、前記ストッパー部に向かって突出する誘導壁が設けられている
ことを特徴とする請求項１乃至４のいずれかに記載の楽器の譜面板支持構造。
【請求項６】
前記支持具は、前記譜面板の回動方向に対する幅方向の中間を支持する単一の棒状部材であり、
前記ガイド部は、前記支持具の一方の側部のみに設けられている
ことを特徴とする請求項１乃至５のいずれかに記載の楽器の譜面板支持構造。
【発明の詳細な説明】
【技術分野】
【０００１】
本発明は、ピアノなどの鍵盤楽器に取り付けた譜面板の支持に用いて好適な楽器の譜面板支持構造に関する。
【背景技術】
【０００２】
従来、例えば特許文献１に示すように、鍵盤楽器に取り付けた譜面板を支持するための譜面板支持構造がある。特許文献１に記載の譜面板支持構造は、譜面板の下方の左右に設けたガイド部材で譜面板下端に設けた軸部をガイドすることで、譜面板を立設姿勢と倒伏姿勢とに切り換えて支持可能としている。また、この支持構造において、軸部を多段階に停止させる複数のストッパー部をガイド部に形成すれば、譜面板の立設角度を多段階に調節可能となる。
【特許文献１】特開２００５−１８１９０５号公報
【発明の開示】
【発明が解決しようとする課題】
【０００３】
ところで、このような譜面板支持構造では、楽器本体の内外に設置したガイド部材と譜面板との間に介在する外装部材（外装板）に、譜面板とガイド部材とを繋ぐための開口部が形成されている。この開口部は、楽器の外観の一部をなすうえ、開口部を覗き込むようにした場合、ガイド部材など楽器の内部構造の一部が外から見えることもある。そのため、特に高級感が求められる上位機種の鍵盤楽器においては、開口部を出来るだけ小さくして目立たないようにすることが望ましい。
【０００４】
ところが、特許文献１に記載された譜面板支持構造では、ガイド部材の案内路は、譜面板の軸部を開口部の直下の該開口部と平行な面（外装板と平行な面）内でのみ直線移動させるように形成されている。この構造では、軸部の移動方向（この場合は、楽器本体の前後方向）における開口部の長さ寸法を軸部の移動寸法とほぼ同じかそれ以上としなければならない。これにより、開口部の奥行寸法が大きくなるため、開口部が目立ち易くなり、楽器の良好な外観が損なわれるおそれがあった。
【０００５】
本発明は上述の点に鑑みてなされたものでありその目的は、譜面板の傾斜角度を調節可能でありながら、楽器本体などに形成する開口部の寸法を小さくでき、楽器の外観を良好にできる譜面板支持構造を提供することにある。
【課題を解決するための手段】
【０００６】
上記課題を解決するための本発明は、楽器本体（１０）に対して支点（４１）を中心に回動することで、立設姿勢と倒伏姿勢との間で傾斜角度を変更可能な譜面板（４０）と、一端（６０ａ）に設けた譜面板側連結部（６１）が譜面板（４０）に対して回動可能に連結され、他端（６０ｂ）に設けた本体側連結部（６２）が楽器本体（１０）に対して移動可能に連結されており、該本体側連結部（６２）の移動により、譜面板（４０）の傾斜角度を切り換えて支持可能な長尺状の支持具（６０）と、楽器本体（１０）に設けられ、支持具（６０）の本体側連結部（６２）を移動可能に係合させるガイド部（５０）と、ガイド部（５０）に設けた本体側連結部（６２）の移動を案内する案内路（５１）と、譜面板（４０）を立設姿勢で支持する際に案内路（５１）の途中で本体側連結部（６２）を係止するためのストッパー部（５６，５７）と、支持具（６０）を貫通させる開口部（３３）を有し、譜面板（４０）とガイド部（５０）との間に配置される中間部材（３０）と、を備える楽器の譜面板支持構造であって、譜面板（４０）が倒伏状態のとき、支点（４１）を基準として支持具（６０）の本体側連結部（６２）が譜面板側連結部（６１）よりも後方かつ下方に配置され、かつ、ガイド部（５０）に設けられた本体側連結部（６２）を停止させる倒伏時停止部（５５）は、開口部（３３）の後端（３３ａ）よりも後側に位置するように構成したことを特徴とする。なお、ここでの括弧内の符号は、後述する実施形態の対応する構成要素の符号を本発明の一例として示したものである。
【０００７】
本発明にかかる譜面板支持構造によれば、譜面板が倒伏状態のとき、譜面板の回動支点を基準として、支持具はその一端の譜面板側連結部から他端の本体側連結部に向かって後側に延び、かつ、本体側連結部が位置するガイド部材の倒伏時停止部が開口部の後端よりも後側に配置されている。これにより、支点から開口部に向かう前後方向における開口部の寸法（開口部の奥行寸法）を小さくすることが可能となる。したがって、本体側連結部の移動により譜面板の傾斜角度を調節可能としながらも、楽器本体などに形成する開口部の寸法を小さくできる。これにより、楽器の外観の一部をなす開口部、あるいは該開口部から見える楽器本体の内部構造を目立たなくできるので、楽器の外観を良好にすることができる。
【０００８】
また、この譜面板支持構造では、譜面板（４０）を倒伏姿勢から立設姿勢に移行させる際、支持具（６０）の本体側連結部（６２）を支点（４１）に近い前側かつ開口部（３３）に近い上側に向かって移動させるように形成するとよい。これによれば、譜面板の姿勢を倒伏姿勢から立設姿勢に切り換える際、支持具がその長手方向に沿って移動するようになるので、開口部における支持具の位置（支点を基準とする前後方向の位置）の移動量を少なくできる。したがって、開口部の寸法を小さくすることが可能となる。
【０００９】
また、上記の譜面板支持構造では、ガイド部（５０）のストッパー部（５６，５７）は、倒伏時停止部（５５）よりも支点（４１）に近い前側かつ開口部（３３）に近い上側の位置に設けるとよい。これによれば、譜面板を倒伏姿勢から立設姿勢に移行させる際、倒伏時停止部からストッパー部に移動する本体側連結部が支持具の長手方向に沿って移動するようになる。したがって、開口部内における支持具の位置（支点を基準とする前後方向の位置）の移動量を少なく抑えながらも、譜面板の立設角度の変化量を大きく取ることが可能となるので、譜面板の立設角度の調節が行い易くなる。
【００１０】
また、上記の譜面板支持構造では、ストッパー部（５６，５７）は、譜面板（４０）を異なる複数の立設角度で支持可能となるように複数箇所に設けられており、該複数箇所のストッパー部（５６，５７）は、対応する譜面板（４０）の立設角度が大きい程、支点（４１）に近い前側かつ開口部（３３）に近い上側に配置するとよい。これによれば、譜面板の立設角度を複数段階に調節可能となるので、譜面板の使い勝手を向上させることができる。加えて、支持具の本体側連結部が支点に向かって移動するようになるので、開口部内における支持具の位置（支点を基準とする前後方向の位置）の移動量を少なく抑えながら、譜面板の立設角度の変化量を大きくすることが可能となる。したがって、譜面板の立設角度の調節が行い易くなる。
【００１１】
また、上記の譜面板支持構造では、案内路（５１）は、本体側連結部（６２）に設けた突起状の係合部（６２ａ）を案内する壁面（５１ａ）を有しており、案内路（５１）におけるストッパー部（５７）に対向する壁面（５１ａ）には、ストッパー部（５７）に向かって突出する誘導壁（５９）を設けるとよい。これによれば、案内路を移動する突起状の係合部をストッパー部へ確実に導入できるようになる。したがって、譜面板を所定の立設角度で確実にロックできるようになり、譜面板の使い勝手が向上する。
【００１２】
また、上記の譜面板支持構造では、支持具（６０）は、譜面板（４０）の回動方向に対する幅方向の中間を支持する単一の棒状部材（６０）であり、ガイド部（５０）は、支持具（６０）の一方の側部のみに設けるとよい。これによれば、支持具及びガイド部を一つずつ設ければよいので、譜面板支持構造の部品点数を少なくでき、楽器の製造コストを抑えることができる。
【発明の効果】
【００１３】
本発明にかかる楽器の譜面板支持構造によれば、譜面板の立設角度を良好に調節可能でありながら、楽器本体などに形成する開口部の寸法を小さくできるので、楽器の外観を良好にできる。
【発明を実施するための最良の形態】
【００１４】
以下、添付の図面を参照して本発明の実施形態を詳細に説明する。図１は、本発明の一実施形態にかかる譜面板支持構造を備えたグランドピアノ型の外観を有する電子ピアノを示す図で、電子ピアノの本体部（楽器本体）１０を一部分解した状態で示す分解斜視図である。また、図２は、電子ピアノの本体部１０に取り付けた譜面板４０及びその支持構造を示す概略側断面図である。以下の説明では、電子ピアノの本体部１０における演奏者側を手前側あるいは前側、演奏者側と反対側を後側と称し、後述する鍵盤１３が備える鍵１３ａの配列方向を横方向あるいは左右方向と称す。また、上下というときは、図１に示す状態での本体部１０の上下方向を示すものとする。さらに、各部材における向きや方向を示す場合も、各部材を本体部１０に取り付けた状態での本体部１０の向きで示す。
【００１５】
本実施形態の譜面台支持構造は、電子ピアノの本体部１０に対して回動可能に取り付けられた譜面板４０と、譜面板４０を立設姿勢と倒伏姿勢とに切り換えて支持可能な支持棒（長尺状の支持具）６０と、本体部１０に設けた支持棒６０を移動可能に係合させるガイド部材（ガイド部）５０と、譜面板４０とガイド部材５０との間に配された本体部１０の外装部品である響板（中間部材）３０とを備えている。響板３０には、支持棒６０を貫通させる開口部３３が形成されている。以下、譜面板支持構造の各部の構成を順に説明する。
【００１６】
本体部１０の手前側には、複数の鍵１３ａが配列された鍵盤１３が設置されており、鍵盤１３の後側には、本体部１０の両側面を囲む横側板１２，１２と後端を囲む後側板１１とによって画成された収納部１４が設けられている。収納部１４の上部は開口１４ａになっている。開口１４ａには、一辺を支点として上下に回動することで開閉可能な大屋根が設置されるが、図１では、大屋根の図示を省略している。
【００１７】
収納部１４内の後側には、図示しないスピーカボックスが設置されており、スピーカボックスの上部には、中板２０が設置されている。そして、収納部１４におけるスピーカボックスの手前側には、左右の横側板１２，１２間に架け渡された二本の角柱状の支持部材２３，２４が設置されている。支持部材２３，２４は、前後に所定間隔で互いに平行に設置されている。支持部材２３，２４の長手方向の中央、すなわち収納部１４の横方向の中央には、ガイド部材５０を取り付けてなるガイド部材取付体４６が設置されている。ガイド部材取付体４６は、支持部材２３，２４間に架け渡されたガイド部材取付具４５にガイド部材５０を取り付けた構成である。ガイド部材５０及びガイド部材取付体４６の詳細については後述する。また、支持部材２３，２４の両側近傍には、響板３０の上方に設置される装飾台３１，３１を取り付けるための装飾台取付具３２，３２が設置されている。装飾台取付具３２は、支持部材２３と支持部材２４の間に架け渡された略棒状の部材で、上方に突出する小突起状の固定片３２ａを有している。
【００１８】
収納部１４における中板２０の手前側には、支持部材２３，２４及びガイド部材取付体４６の上部を覆う響板（中間部材）３０が設置されている。響板３０に設けた開口部３３は、その長手方向が本体部１０の前後方向に向かう略長方形状の小貫通穴からなり、響板３０の横方向の中央に形成されている。譜面板４０は、響板３０の上面側における開口部３３に対応する位置に設置される。また、響板３０の両側には、装飾台取付具３２の固定片３２ａを貫通させるための貫通穴３４が形成されている。
【００１９】
図２に示すように、譜面板４０は、その下端４０ａに設けた回動支点４１が響板３０の手前側端部に対応する位置で支持部材２３に対して回動自在に支持されている。回動支点４１には、譜面板４０の下端４０ａを支持部材２３に対して回動自在に取り付ける蝶番４１ａが設けられている。したがって、譜面板４０は、下端４０ａの回動支点４１を中心として上端４０ｂが上下に回動することで、響板３０に沿って回動支点４１の後側に倒される倒伏姿勢と、響板３０の面（水平面）に対して所定角度を成した状態で斜めに立接される立設姿勢とを取ることが可能である。
【００２０】
なお、譜面板４０の下端４０ａに設けた蝶番４１ａは、蝶番取付具２５を介して支持部材２３に取り付けられており、響板３０には当接していない。すなわち、回動支点４１の蝶番４１ａあるいは蝶番取付具２５と響板３０との間には、僅かな隙間が設けられている。これにより、譜面板４０やその支持構造が電子ピアノの演奏時における響板３０の振動に影響を及ぼさないようになっている。また、譜面板４０の上端４０ｂ近傍の下面４０ｄ側には、倒伏姿勢の譜面板４０と響板３０との衝突を防止するためのクッション材４２が取り付けられている。
【００２１】
また、譜面板４０の上面４０ｃには、譜面を支持するための譜面受け４３けが設けられている。譜面受け４３は、譜面板４０の上面４０ｃの下端４０ａよりも若干上方の位置に取り付けられた板状の部材であり、譜面板４０の幅方向の略全体に渡る細長い板状に形成されている。譜面受け４３は、譜面板４０の上面４０ｃに蝶番４３ａで回動自在に取り付けられており、譜面板４０の上面４０ｃに対して略直交する開位置と、譜面板４０の上面４０ｃに沿う閉位置との間で回動可能となっている。
【００２２】
また、譜面板４０を支持する支持棒６０は、響板３０の開口部３３を貫通しており、一端６０ａが響板３０の上方（譜面板４０側）に突出し、他端６０ｂが響板３０の下方（ガイド部材５０側）に突出している。そして、一端６０ａに設けた譜面板側連結部６１が譜面板４０の下面４０ｄに連結され、他端６０ｂに設けた本体側連結部６２が本体部１０側のガイド部材５０に連結されている。なお、支持棒６０の一端６０ａは、譜面板４０の下面４０ｄにおける幅方向の中央で上下方向の中央より若干下側の位置に連結されている。
【００２３】
図３（ａ）乃至（ｃ）は、ガイド部材取付体４６を示す図で、（ａ）は、ガイド部材取付体４６の平面図、（ｂ）は、（ａ）のＡ−Ａ矢視断面図、（ｃ）は、ガイド部材取付体４６の斜視図である。また、図３（ｄ）は、支持棒６０を示す斜視図である。図３（ａ）乃至（ｃ）に示すように、ガイド部材取付具４５は、支持部材２３，２４間に架け渡される細長い略薄板状の部材で、長手方向の両端にはそれぞれ、支持部材２３，２４に対して固定される固定部４５ａが設けられている。固定部４５ａは、ネジ（図２参照）４５ｂを締結固定するためのネジ穴からなる。
【００２４】
また、ガイド部材取付具４５の長手方向の中間には、上面側が開口する凹形状の収納部４７が設けられている。収納部４７には、略矩形の板状に形成されたガイド部材５０が収納されている。ガイド部材５０は、収納部４７の左側の側面に沿う位置に収納されており、ガイド部材５０の右側には、ガイド部材５０の厚みと同等の幅寸法を有する隙間４７ａが形成されている。隙間４７ａには、支持棒６０が挿入されるようになっている。また、隙間４７ａを挟んでガイド部材５０と反対側の面、すなわち収納部４７の右側の内面には、ガイド部材５０で案内される支持棒６０を摺接させる摺接部４８が設けられている。摺接部４８は、収納部４７の右側の内壁に付した表面の摺動性が良好なシート材などで構成されている。摺接部４８が支持棒６０に接していることで、後述するガイド部材５０の案内路５１に係合する支持棒６０の係合突起６２ａが案内路５１から抜け出ることを防止できる。
【００２５】
一方、図３（ｄ）に示す支持棒６０は、直線棒状の部材で、一端６０ａの譜面板側連結部６１には、譜面板４０の下面４０ｄに回動自在に連結される軸部６１ａを備えている。また、支持棒６０の他端６０ｂの本体側連結部６２は、該他端６０ｂの左側面６０ｃに形成した略円柱状の小突起からなる係合突起６２ａを備えている。係合突起６２ａは、ガイド部材５０の案内路５１に係合する。これにより、本体側連結部６２が案内路５１に沿って移動することで、開口部３３から上方（譜面板４０側）へ突出する支持棒６０の突出長さ及び角度が変化し、支持棒６０で支持された譜面板４０の傾斜角度が変化するようになっている。
【００２６】
図４は、ガイド部材５０の詳細構成を示す図で、（ａ）は、右側面（案内路５１の形成面）
５０ａから見た平面図、（ｂ）は、斜視図である。ガイド部材５０の右側面５０ａに形成された案内路５１は、支持棒６０の係合突起６２ａを案内する壁面５１ａで構成された通路で、ガイド部材５０の上面５０ｂの前側に設けた初期挿入口５２からガイド部材５０の前側の下端を経て後側の下端まで略Ｌ字状に形成された導入路５３と、ガイド部材５０の後側の下端を始点及び終点として、手前側の上方に向かってループ状に形成された循環路５４とを備えている。
【００２７】
循環路５４は、ガイド部材５０の後側の下端に設けた倒伏時停止部５５から第１上昇路５４ａを経て第１ストッパー部５６に連通している。第１上昇路５４ａは、図４（ａ）の前側（譜面板４０の回動支点４１側）かつ上側（開口部３３側）に向かうよう斜め上方に延びている。循環路５４はさらに、第１ストッパー部５６から第２上昇路５４ｂを経て第２ストッパー部５７に連通している。第２上昇路５４ｂは、図４（ａ）の前側（譜面板４０の回動支点４１側）かつ上側（開口部３３側）に向かうよう斜め上方に延び、その後前側に向かって横方向に延びている。循環路５４はさらに、第２ストッパー部５７から下降路５４ｃを経て導入路５３に合流してから倒伏時停止部５５に戻るようになっている。下降路５４ｃは、図４（ａ）の後側（譜面板４０の回動支点４１と反対側）かつ下側（開口部３３と反対側）に向かうよう斜め下方に延びている。
【００２８】
また、導入路５３と合流した後の倒伏時停止部５５の直前位置には、案内路５１の断面に配された弾性片からなる戻り防止部５８が形成されている。戻り防止部５８により、循環路５４における係合突起６２ａの逆行が防止されるようになっている。
【００２９】
第１ストッパー部５６は、第１上昇路５４ａの上端５４ｄに対して下側かつ後側（斜め下側）に向かって窪んだ形状の部位で、第１上昇路５４ａを進行した係合突起６２ａが上端５４ｄから落ち込んで第１ストッパー部５６に係止されるようになっている。また、第２ストッパー部５７は、第２上昇路５４ｂの前端５４ｅに対して下側かつ後側（斜め下側）に向かって窪んだ形状の部位で、第２上昇路５４ｂを進行した係合突起６２ａが前端５４ｅから落ち込んで第２ストッパー部５７に係止されるようになっている。また、案内路５１における第２ストッパー部５７に対向する壁面５１ａには、第２ストッパー部５７に向かって突出する突起状の誘導壁５９が設けられている。すなわち、第２ストッパー部５７の斜め上方に配置された誘導壁５９は、下側かつ後側に向かって突出しており、第２上昇路５４ｅの前端５４ｅから落ち込む係合突起６２ａを第２ストッパー部５７へ押し込むように誘導可能な部位である。なお、第２ストッパー部５７を出た係合突起６２ａは、一度前側かつ上側に戻った後、下降路５４ｃに導入されるようになっている。
【００３０】
また、図２に示すように、本体部１０の前後方向において、開口部３３とガイド部材５０は、それら一部が重なった状態で、ガイド部材５０が開口部３３の後端３３ａよりも後側まで配置されている。したがって、支持棒６０の本体側連結部６２を案内する案内路５１も、開口部３３の後端３３ａよりも後側の位置まで及んでいる。
【００３１】
次に、上記構成の譜面板支持構造を用いて行なう譜面板４０の角度調整について説明する。図５は、当該角度調整の動作を説明するための図である。同図（ａ）は、譜面板４０が倒伏姿勢の状態を示している。このとき、譜面板４０は、響板３０に沿って略水平に倒された状態となっており、支持棒６０の係合突起（本体側連結部）６２ａが案内路５１の倒伏時停止部５５に位置している。この状態で、開口部３３からガイド部５０側に出る支持棒６０が譜面板４０の回動支点４１に対して開口部３３より後側に延び、係合突起６２ａが位置する倒伏時停止部５５が開口部３３の後端３３ａよりも後側に配置された状態になる。
【００３２】
また、この譜面板４０の倒伏状態では、支持棒６０は、その長手方向が譜面板４０の下面４０ｄと略平行ではなく、譜面板側連結部６１より本体側連結部６２の方が上下方向の位置が低くなるように譜面板４０に対して角度を成した状態、すなわち、譜面板側連結部６１から本体側連結部６２に向かって次第に譜面板４０の下面４０ｄとの離間距離が大きくなるように角度を成した状態で配置される。さらに、この譜面板４０の倒伏状態では、ガイド部材５０から上方に突出する支持棒４０の譜面板側連結部６１は、響板３０の開口部３３の内部（響板３０の板厚の範囲内）に位置する。
【００３３】
上記の倒伏姿勢において、譜面板４０の上端４０ｂを手などで上方へ引き起こすと、譜面板４０の上昇に伴い支持棒６０が開口部３３から斜め前上方へ引き出されるように移動する。これにより、支持棒６０の係合突起６２ａが倒伏時停止部５５から出て第１上昇路５４ａを進行する。その後、係合突起６２ａは、第１上昇路５４ａの上端５４ｄから落下し、第１ストッパー部５６に係止される。このとき、図５（ｂ）に示すように、支持棒６０で支持された譜面板４０が響板３０（水平面）に対して第１の角度θ1を成した状態で立設される。この状態で、開位置の譜面受け４３に譜面を載せることで、譜面板４０を使用することができる。
【００３４】
また、図５（ｂ）に示す状態（第１の角度θ１で立設された状態）の譜面板４０の上端４０ｂを持ち上げてさらに手前側に起こすと、この場合も、譜面板４０の上昇に伴い支持棒６０が開口部３３から斜め前上方へ引き出されるように移動する。これにより、支持棒６０の係合突起６２ａが第１ストッパー部５６を出て第２上昇路５４ｂを進行する。その後、係合突起６２ａは、第２上昇路５４ｂの前端５４ｅから落下し、第２ストッパー部５７に係止される。これにより、図５（ｃ）に示すように、支持棒６０で支持された譜面板４０が響板３０に対して第２の角度θ2（θ1＜θ2）を成した状態で立設される。
【００３５】
このように、立設姿勢の譜面板４０を異なる複数の角度で支持可能とする第１ストッパー部５６と第２ストッパー部５７とを設けたことで、譜面板４０の立設角度を複数段階に調節可能となり、譜面板４０の使い勝手を向上させることができる。また、第２ストッパー部５７は、第１ストッパー部５６よりも回動支点４１に近い手前側かつ上側に位置している。これにより、開口部３３における支持棒６０の移動量を少なく抑えながらも、譜面板４０の立設角度の変化量を大きくすることが可能である。したがって、譜面板４０の立設角度の調節が行い易くなる。なお、ここでは、案内路５１に二段のストッパー部５６，５７を設けた場合を示したが、ストッパー部は、三段以上を設けることも可能である。
【００３６】
また、係合突起６２ａが第２ストッパー部５７に係止される際、係合突起６２ａを第２ストッパー部５７に導くための誘導壁５９により、係合突起６２ａが第２ストッパー部５７を通過することを防止できるので、係合突起６２ａが第２ストッパー部５７に確実に係合するようになる。したがって、譜面板４０を所定の立設角度（θ2）で確実にロックでき、譜面板４０の使い勝手が向上する。
【００３７】
また、図５（ｃ）に示す状態（第２の角度θ2で立設された状態）の譜面板４０の上端４０ｂをさらに手前上方へ引くと、譜面板４０の手前側への回動に伴い支持棒６０が引き上げられて斜め上方へ移動する。これにより、支持棒６０の係合突起６２ａが第２ストッパー部５７を出て下降路５４ｃに導入される。その後、譜面板４０の上端４０ｂを後側下方へ戻せば、係合突起６２ａが下降路５４ｃを進行する。そして、係合突起６２ａが戻り防止部５８を越えて倒伏時停止部５５に戻ったとき、譜面板４０は、図５（ａ）の倒伏姿勢に戻る。なお、交換やメンテナンスに伴う譜面板４０の取り外しを行なう場合は、戻り防止部５８を越える前の係合突起６２ａを導入路５３に導くことで、係合突起６２ａを初期挿入口５２から取り出して、支持棒６０をガイド部材５０から取り外すことができる。譜面板４０を取り付ける際は、これとは逆に、初期挿入口５２から挿入した係合突起６２ａを導入路５３を経由して循環路５４へ導くようにする。
【００３８】
以上説明したように、本実施形態の譜面板支持構造によれば、譜面板４０が倒伏状態のとき、係合突起６２ａが位置する倒伏時停止部５５が回動支点４１から見て開口部３３の後端３３ａよりも後側の位置となるようにしたので、開口部３３での支持棒６０の位置の移動量を少なく抑えることができる。これにより、開口部３３の寸法を小さくすることが可能となる。したがって、電子ピアノの外観の一部をなす開口部３３、あるいは該開口部３３から見える本体部１０の内部構造を目立たなくでき、楽器の外観を良好にすることができる。
【００３９】
また、本実施形態では、ガイド部材５０の案内路５１は、支持棒６０の係合突起６２ａが譜面板４０の下面４０ｄに向かう向き及び該下面４０ｄから遠ざかる向きへ進退移動するように形成されている。これにより、譜面板４０を立設姿勢と倒伏姿勢とに移行させる際、回動する譜面板４０の下面４０ｄ（詳細には、譜面板側連結部６１）に向かう向き（あるいは、回動支点４１に近い前側かつ開口部３３に近い上側に向かう向き）及び該下面４０ｄから遠ざかる向きへ支持棒６０が進退移動するので、開口部３３内での支持棒６０の位置の移動量を少なくできる。したがって、開口部３３の寸法を小さくすることが可能となる。
【００４０】
また、本実施形態では、支持棒６０は、譜面板４０の回動方向に対する幅方向の中央を支持する単一の支持棒６０とし、ガイド部材５０を支持棒６０の一方の側部のみに設置している。したがって、支持棒６０及びガイド部材５０を各１個ずつ設ければよいので、譜面板支持構造の部品点数を少なくでき、電子ピアノの製造コストを抑えることができる。
【００４１】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００４２】
【図１】本発明の一実施形態にかかる譜面板支持構造を備えた電子ピアノの本体部を示す分解斜視図である。
【図２】電子ピアノの本体部に取り付けた譜面板及びその支持構造を示す概略側断面図である。
【図３】ガイド部材取付体及び支持棒を示す図で、（ａ）は、ガイド部材取付体の平面図、（ｂ）は、（ａ）のＡ−Ａ矢視断面図、（ｃ）は、ガイド部材取付体の斜視図、（ｄ）は、支持棒の斜視図である。
【図４】ガイド部材を示す図で、（ａ）は、案内路が形成された右側面の平面図、（ｂ）は、右側面から見た斜視図である。
【図５】譜面板支持構造の動作を説明するための図である。
【符号の説明】
【００４３】
１０  本体部
１３  鍵盤
３０  響板（中間部材）
３３  開口部
４０  譜面板
４０ｄ  下面
４１  回動支点
４１ａ  蝶番
４５  ガイド部材取付具
４６  ガイド部材取付体
４７  収納部
４７ａ  隙間
４８  摺接部
５０  ガイド部材
５１  案内路
５１ａ  壁面
５２  初期挿入口
５３  導入路
５４  循環路
５４ａ  第１上昇路
５４ｂ  第２上昇路
５４ｃ  下降路
５５  倒伏時停止部
５６  第１ストッパー部
５７  第２ストッパー部
５８  戻り防止部
５９  誘導壁
６０  支持棒
６０ａ  一端
６０ｂ  他端
６０ｃ  左側面
６１  譜面板側連結部
６１ａ  回動軸
６１ａ  軸部
６２  本体側連結部
６２ａ  係合突起
【図１】
2010145934.tif 000003
【図２】
2010145934.tif 000004
【図３】
2010145934.tif 000005
【図４】
2010145934.tif 000006
【図５】
2010145934.tif 000007